(57)【特許請求の範囲】
【請求項１】
一枚のブランクを組み立てて作成されるカートンであって、底面パネルの前後に前面パネルと背面パネルがそれぞれ折線を介して連設されており、背面パネルにはその上辺に上面パネルが折線を介して連設されており、前面パネルにはその上辺に破断可能な接着パネルを介して狭幅で前後に屈曲可能な起立パネルが連設され、その起立パネルの先端にスライドパネルが折線を介して連設されており、上面パネルには起立パネルを露出させるための開口を中央部に形成する破断可能な除去領域が区画されるとともに、先端部に破断可能な摘み領域が区画されており、接着パネルには上面パネルの摘み領域と重なる位置に抜け孔が設けられており、スライドパネルを起立パネルに対し内側に折り返した状態で、接着パネルに上面パネルの先端部を貼り合わせるとともに、上面パネルの摘み領域を接着パネルの抜け孔を通してスライドパネルの裏面側に貼り合わせるようにサック貼りすることで胴部が形成され、その胴部の一方を閉じて内容物を投入してから他方が閉じられたことを特徴とするカートン。
【請求項２】
スライドパネルの両サイドにガイド片が設けられていることを特徴とする請求項１に記載のカートン。
【発明の詳細な説明】
【技術分野】
【０００１】
本発明は、板紙等からなるカートンの技術分野に属し、詳しくは、菓子類を始めとして、各種生活用品等の物品を収納して販売する際に好適に用いられる紙カートンに関するものである。
【背景技術】
【０００２】
従来、菓子類等を入れて販売するための板紙製のカートンとして、サック貼りしたブランクを角筒状に起こし、一方の開口を閉じてからもう一方の開口より内容物を充填して閉じることで箱型とするシールエンド型のものが多く利用されている。このタイプのカートンは、内容物を取り出すための開封機構を有している。例えば、開封部分に帯状のジッパーを設けたものや、胴部を周回する帯状のジッパーを設けたものがある。特に、天面の一部を開けることができ、また再封できるようにするため、側板に設けた摘み部からジッパーの破断を開始して天面を蓋として大きく開封し、閉じる際には摘み部を側板のスリットに係止するようにしたタイプも多く用いられている。
【０００３】
【特許文献１】特開平８−１１８６９号公報
【特許文献２】特開平９−１９３９２６号公報
【特許文献３】特開２００１−１３９０２５号公報
【発明の開示】
【発明が解決しようとする課題】
【０００４】
上記したカートンのうち、天面の一部を開けるタイプのものは、大きく開けることができて中身の取出しが容易であるという利点はあるが、蓋を手で持っていないと開封状態を維持することができないため、テーブル等に置いた状態で中身を取り出すということが出来ない。そして、閉じた状態にしても摘み部を側板のスリットに差し込んで止めるだけなので、落下させたりすると蓋が開いて中身がこぼれるという問題がある。また、開封した部分はジッパーのギザギザが残るため、見栄えがよくないという問題もある。
【０００５】
本発明は、このような問題点に鑑みてなされたものであり、その目的とするところは、開封状態を維持することができ、また蓋を閉じた状態で落下させても中身が溢れるようなことがなく、しかもジッパーを用いた場合のような見栄えの悪さをなくし、さらには開閉操作に遊び心を持たせたカートンを提供することにある。
【課題を解決するための手段】
【０００６】
上記の目的を達成するため、本発明のカートンは、一枚のブランクを組み立てて作成されるカートンであって、底面パネルの前後に前面パネルと背面パネルがそれぞれ折線を介して連設されており、背面パネルにはその上辺に上面パネルが折線を介して連設されており、前面パネルにはその上辺に破断可能な接着パネルを介して狭幅で前後に屈曲可能な起立パネルが連設され、その起立パネルの先端にスライドパネルが折線を介して連設されており、上面パネルには起立パネルを露出させるための開口を中央部に形成する破断可能な除去領域が区画されるとともに、先端部に破断可能な摘み領域が区画されており、接着パネルには上面パネルの摘み領域と重なる位置に抜け孔が設けられており、スライドパネルを起立パネルに対し内側に折り返した状態で、接着パネルに上面パネルの先端部を貼り合わせるとともに、上面パネルの摘み領域を接着パネルの抜け孔を通してスライドパネルの裏面側に貼り合わせるようにサック貼りすることで胴部が形成され、その胴部の一方を閉じて内容物を投入してから他方が閉じられたことを特徴としている。
【０００７】
上記の構成からなるカートンは、上面パネルの中央部にある除去領域を破断して取り去ることで、起立パネルを露出させるための開口を形成した後、上面パネルにおける摘み領域とこれに接着したスライドパネルの前面パネル側を摘んで引っ張るようにすると、前面パネルと接着パネルが破断されて分離するとともに、その分離された隙間からスライドパネルが引出し可能な状態となる。そして、そのままスライドパネルを引っ張ると、上面パネルにおける開口のところで起立パネルが屈曲して起き上がりながら開封され、開封した後はその開封状態が維持される。また、スライドパネルを押し込むと、起立パネルが倒れて開口を閉じることができる。
【発明の効果】
【０００８】
本発明のカートンは、スライドパネルを引っ張ると、起立パネルが立ち上がった状態で上面パネルの開口が開いた状態となるので、開封後は蓋を手で持つようなことをしなくても開封状態を維持することができる。また、開封後にスライドパネルを閉じると、そのスライドパネルを引っ張らない限りは開口が開かないので、落下させても中身が溢れることがない。また従来のようなジッパーによる開封手段を設けていないので、開封による見栄えが悪くなるのを防ぐことができる。しかも、開口のところに設けた起立パネルがスライドパネルの引出しによる開封に連れて起き上がるので、開閉時に遊び心のあるものを提供することができる。
【発明を実施するための最良の形態】
【０００９】
次に、本発明の実施の形態について図面を参照しながら詳細に説明する。
【００１０】
図１は本発明に係るカートンの一例を示す斜視図、図２は図１に示すカートンを組み立てるブランクの展開図である。
【００１１】
図２のブランクは、紙器用の板紙を打ち抜いて形成された一枚もので、図示のように、底面パネル１の前後に前面パネル２と背面パネル３がそれぞれ折線を介して連設されており、背面パネル３にはその上辺に上面パネル４が折線を介して連設されており、前面パネル２にはその上辺に長さ方向に短くかつ破断可能な接着パネル５を介して狭幅で前後に屈曲可能な起立パネル６が連設され、その起立パネル６の先端にスライドパネル７が折線を介して連設されている。そして、上面パネル４には起立パネル５を露出させるための矩形状の開口を中央部に形成する破断可能な除去領域４ａが区画されるとともに、先端部に破断可能な半円状の摘み領域４ｂが区画されており、接着パネル５には上面パネル４の摘み領域４ｂと重なる位置に半円状の抜け孔５ａが設けられている。
【００１２】
接着パネル５は、中程で前面パネル側に僅かに突き出る円弧状の切込線ａとその両側の破断線ｂとにより前面パネル２に連設しており、その切込線ａの中央付近のところを一部として抜け孔５ａが半円状に形成されている。ここで、接着パネル５と起立パネル６を合わせた長さは、スライドパネル７と略同じ長さで、スライドパネル７を起立パネル５に対して折り返すと、切込線ａと重なるか僅かに突き出るように、スライドパネル７の先端は外向きに円弧状に膨らんだ形状になっている。
【００１３】
また、接着パネル５と起立パネル６の境界線ｃ、起立パネル５とスライドパネル７の境界線ｄは、折曲げ易くするため、それぞれ途中に切込のあるリード罫で構成されている。そして、図示の例では、起立パネル５は中央の屈曲線ｅにおける中程のところでスライドパネル側に大きく半円状に突き出た切込線ｆが形成されている。
【００１４】
上面パネル４の中央部にある矩形状の除去領域４ａは、途中に複数のツナギを有する切込線ｇにより区画され、先端部にある半円状の摘み領域４ｂも途中に複数のツナギを有する切込線ｈにより区画されている。また、除去領域４ａの背面パネル側の中央部にはツナギのある半円状の切込線ｉによって押圧部分４ｃが区画されている。
【００１５】
また、底面パネル１の左右にそれぞれ折線を介して側面内側パネル８が連設され、上面外側パネル４の左右にそれぞれ折線を介して側面外側パネル９が連設され、前面パネル２の左右にそれぞれ折線を介して折込みフラップ１０が連設され、背面パネル３の左右にそれぞれ折線を介して折込みフラップ１１が連設されている。さらに、スライドパネル７の左右には起立パネル６側に凸部１２ａを有するガイド片１２がそれぞれ折線を介して設けられている。
【００１６】
上面パネル４の左右にある側面外側パネル９は、箱の高さ（背面パネル３の高さ）とほぼ同じになっているが、底面パネル１の左右にある側面内側パネル８は内側で折り曲げられるために箱の高さより僅かに低くなっており、その前面パネル側の側辺には円弧状の切欠部８ａが形成されている。
【００１７】
上記のブランクを組み立てるには、まずサック貼り状態とする。具体的には、スライドパネル７を起立パネル６に対し内側に折り返した状態で、前面パネル側を底面パネル１に対して折り返した後、上面パネル４を背面パネル３に対して折り返して、接着パネル５に上面パネル４の先端部を貼り合わせるとともに、上面パネル４の摘み領域４ｂを接着パネル５の抜け孔５ａを通してスライドパネル７の裏面側に貼り合わせる。
【００１８】
そして、充填工程において、このサック貼りしたブランクを角筒状に起こし、胴部の一方を閉じて内容物を投入してから他方を閉じることで、図１に示すカートンを組み立てる。その閉じる順序は両方とも同じである。すなわち、まず折込みフラップ１０，１１を折り曲げてから、それらの上に被さるように側面内側パネル８を折り曲げる。次いで、ガイド片１２を折り曲げるようにしてその上から側面外側パネル９を折り曲げ、折り曲げた側面外側パネル９の先端部を側面内側パネル８に貼り合わせる。このとき、円弧状の切欠部８ａのところには折込みフラップ１０の一部が露出することになるが、側面外側パネル９をこの露出した部分にも接着剤Ｇにより貼り合わせる。これにより、前面パネル２は折込みフラップ１０を介してカートンの側面に固定される。また、このように組み立てることにより、前面パネル２と接着パネル５の中程の隙間からスライドパネル７の先端縁が僅かに突き出た状態となる。
【００１９】
図１のカートンを開封するには、まず、上面パネル４の中央部にある除去領域４ａを破断して取り去ることで、図３に示すように、起立パネル６を露出させるための開口を形成する。すなわち、除去領域４ａの押圧部分４ｃを指先で押し破り、ここを切っ掛けとして除去領域４ｂを破断して取り去る。
【００２０】
続いて、上面パネル４における摘み領域４ｂとこれに接着したスライドパネル７の前面パネル側を摘んで引っ張るようにすると、前面パネル２と接着パネル５が破断されて分離するとともに、その分離された隙間からスライドパネル７が引出し可能な状態となる。このとき、スライドパネル７の先端縁が前面パネル２と接着パネル５の中程の隙間から突き出ているので、指先で摘んで把持することができる。そして、そのままスライドパネル７を引っ張ると、図４に示すように、上面パネル４における開口のところで起立パネル６が屈曲して起き上がりながら開封され、開封した後はその開封状態が維持される。また、図４の開封状態からスライドパネル７を押し込むと、起立パネル６が倒れて開口を元通り閉じることができる。
【００２１】
上記のカートンでは、スライドパネル７にガイド片１２を設け、しかもそのガイド片１２に凸部１２ａを設けたので、スライドパネル７を引っ張ると、その凸部１２ａが折込みフラップ１０と側面外側パネル９の接着剤Ｇのところまでは進むがそれ以上は引き出せない状態となる。また、前面パネル２は側面内側パネル８の切欠部８ａのところで側面外側パネル９に接着されているので、開封時に前面パネル２と接着パネル５が切断されても箱形状が崩れるようなことがない。また、スライドパネル７を押し込むと、両サイドのガイド片１２によりスムースに閉位置までスライドさせることができる。
【００２２】
このように、図１のカートンは、スライドパネル７を引っ張って開封した場合、そのままの放置しても開封状態は維持される。また、開封後にスライドパネル７を閉じると、そのスライドパネル７を引っ張らない限りは開口が開かないので、落下するようなことがあっても中身が溢れるということがない。
【００２３】
以上、本発明の実施の形態について詳細に説明してきたが、本発明によるカートンは、上記実施の形態に何ら限定されるものではなく、本発明の趣旨を逸脱しない範囲において種々の変更が可能であることは当然のことである。
【図面の簡単な説明】
【００２４】
【図１】本発明に係るカートンの一例を示す斜視図である。
【図２】図１に示すカートンを組み立てるブランクの展開図である。
【図３】図１に示すカートンを開封するために上面パネルに開口を形成した状態を示す斜視図である。
【図４】図１に示すカートンを開封した状態で示す斜視図である。
【符号の説明】
【００２５】
１  底面パネル
２  前面パネル
３  背面パネル
４  上面パネル
４ａ  除去領域
４ｂ  摘み領域
４ｃ  押圧部分
５  接着パネル
５ａ  抜け孔
６  起立パネル
７  スライドパネル
８  側面内側パネル
８ａ  切欠部
９  側面外側パネル
１０，１１  折込みフラップ
１２  ガイド片
１２ａ  凸部
【図１】
0005076933.tif 000002
【図２】
0005076933.tif 000003
【図３】
0005076933.tif 000004
【図４】
0005076933.tif 000005